(57)【要約】      （修正有）【課題】広告シートの緊張又は取外しを簡単容易にすると共に、緊張させた状態で係止することが可能な張設装置を提供する。【解決手段】メディアシート１の両端の係止手段を有する二本の係止パイプ３，３ａに、他物への固定手段５を設け、前記係止パイプの少なくとも一方に、メディアシートの巻取り手段と、巻取り側の係止パイプの伝導部に逆転防止手段を付設した。【選択図】      図１
2006030675.tif 000002
【特許請求の範囲】
【請求項１】
メディアシートの両端の係止手段を有する二本の係止パイプに、他物への固定手段を設け、前記係止パイプの少なくとも一方に、メディアシートの巻取り手段と、巻取り側の係止パイプの伝導部に逆転防止手段を付設したことを特徴とするメディアシートの張設装置。
【請求項２】
係止手段は、軸方向にメディアシートの通過用の溝を有する係止パイプと、前記係止パイプ内へ入る寸法であって、メディアシートを止める係止部材とを組み合わせたことを特徴とする請求項１記載のメディアシートの張設装置。
【請求項３】
固定手段は、係止パイプを支持した固定部材の両端に、他物との固定部材を連設したことを特徴とする請求項１記載のメディアシートの張設装置。
【請求項４】
巻取り手段は、巻取り側の係止パイプを固定部材へ回転自在に架設したことを特徴とする請求項１記載のメディアシートの張設装置。
【請求項５】
逆転防止手段は、巻取り側の係止パイプの伝導系に固定したラチェット歯車と、係止パイプを支持する固定部材へ取付けた係止爪とを係脱自在に係止させたことを特徴とする請求項１記載のメディアシートの張設装置。
【発明の詳細な説明】
【技術分野】
【０００１】
この発明は、メディアシート（広告シート類）の両端を固定し、その引張方向が縦横に係らず確実、かつ容易に張設することを目的としたメディアシートの張設装置に関するものである。
【背景技術】
【０００２】
従来シート類を用いた広告などの設置は、広告板に貼着し、鋲止めし、挟着し、又はロープ等で引張って固定し、或いは特製の額縁に収めるなどの手段を講じている。
【特許文献１】特開２００２−２５１１４２
【発明の開示】
【発明が解決しようとする課題】
【０００３】
前記従来の装置によれば、メディアシートの張設が不十分になり易く、張力修正が難しく、張設を確実にすれば装置が複雑になる問題点があった。
【０００４】
また、一側縁を挟着した吊広告は広く使用されているが、不安定であり、広告の上下を係止したものであっても張設（ぴんと引張ること）は難しく、かつ張力の調節ができないなどの問題点があった。
【課題を解決するための手段】
【０００５】
この発明は、メディアシートの両端を係止する係止パイプの少なくとも一方を回転して、メディアシートを必要な強さに張設し、そのまま係止定着することにより、前記従来の問題点を解決したのである。
【０００６】
即ちこの発明は、メディアシートの両端の係止手段を有する二本の係止パイプに、他物への固定手段を設け、前記係止パイプの少なくとも一方に、メディアシートの巻取り手段と、巻取り側の係止パイプの伝導部に逆転防止手段を付設したことを特徴とするメディアシートの張設装置であり、係止手段は、軸方向にメディアシートの通過用の溝を有する係止パイプと、前記係止パイプ内へ入る寸法であって、メディアシートを止める係止部材とを組み合わせたものである。また、固定手段は、係止パイプを支持した固定部材の両端に、他物との固定部材を連設したものであり、巻取り手段は、巻取り側の係止パイプを固定部材へ回転自在に架設したものであり、逆転防止手段は、巻取り側の係止パイプの伝導系に固定したラチェット歯車と、係止パイプを支持する固定部材へ取付けた係止爪とを係脱自在に係止させたものである。
【０００７】
この発明によれば、係止パイプを回転するので、メディアシートの巻き取り量を調節し、任意の緊張度を保つことができることは勿論、設置後の緊張度の調節も自由にできる。
【０００８】
またこの発明によれば、係止パイプと係止部材によりメディアシートの両端を夫々係止できるので、メディアシートの端縁形状は係止部材と係止すればよく、簡単容易に係止できると共に、メディアシートの長短に多少の相違があっても確実、かつ所望の緊張度に係止張設できる特徴がある。
【０００９】
この発明の引張装置は、建造物の天井へ取付板で固定し、又は垂直壁へ取付板３４、３４ａとねじ３５、３５により固定する。但し、固定方法は限定しない。
【００１０】
前記発明の係止パイプの巻き取りは、両方の係止パイプであっても、一方の係止パイプであっても同様である。要はメディアシートの両端と係止パイプとを係止し、少なくとも一方の係止パイプを回転すれば、メディアシートを巻き込み、又は巻き出すようにした装置を採用している。
【００１１】
前記発明のメディアシートの両端は係止部材で係止され、この係止部材と、係止パイプとが係止する場合と、メディアシートの一部を係止パイプに巻きつけることによって、確実に係止する場合とするが、この発明は係止装置のみの発明ではないので、係止構造は如何様（公知の係止装置）であっても使用することができる。
【発明の効果】
【００１２】
この発明によれば、メディアシートの長短に拘わらず、確実に張設できる効果がある。
【００１３】
また、任意の緊張状態を保ったまま係止固定できるので、緊張を制御できる効果がある。
【００１４】
また、メディアシートの端縁と、係止パイプとを簡単に係止できるので、メディアシートの取換えが簡単容易にできる効果がある。
【発明を実施するための最良の形態】
【００１５】
この発明は、メディアシートの両端を係止できるように、軸方向に溝を有する係止パイプと、該係止パイプ内へ入る寸法であって、メディアシートの端部を固定できる係止部材とを組み合わせて係止し、前記係止パイプに固定部材を固定し、該固定部材の両端に他物（天井又は壁など）に固定する固定部材を設けたものである。
【００１６】
また、前記係止パイプの少なくとも一方は、回転自在にすると共に、逆転防止手段を設けてあるので、メディアシートを緊張状態のまま保持することができる。従って、メディアシートを張設し、必要に応じ張力を調節することができる。
【実施例１】
【００１７】
この発明の実施例を図１、２、３について説明すると、一側に溝４、４ａを有する二本の係止パイプ３、３ａに、夫々支板６、６ａ、支枠７、７ａを介して、固定パイプ５、５ａを平行に固定し、前記固定パイプ５、５ａの上下端へ取付板１１、１１ａ、１２、１２ａを前記固定パイプ５、５ａと夫々直角に固定して、この発明の張設装置１０を構成した。
【００１８】
前記係止パイプ３、３ａの下端に摘み軸８、８ａをねじ３５で固定し、該摘み軸８、８ａと、係止パイプ３、３ａの上端に嵌挿した止軸１３、１３ａとを、支板６、６ａと支枠７、７ａへ回転自在に架設し、前記摘み軸８へラチェットギヤー９を固定すると共に、摘み１５を固定する。また前記支枠７へ係止爪１４をピン１６により回転自在に取り付け、前記係止爪１４の係止端１４ａを、前記ラチェットギヤー９と係止させて、この発明の張設装置１０を構成した。図中１７、１７ａは筋交、１８は針孔である。前記実施例において、取付板１２は図１（ａ）のように一枚の板を直角に屈曲した場合と、図１（ｃ）のように、取付板１２へ、補助板１９を調節可能（長孔２１あり）な場合とある。
【００１９】
前記張設装置１０を使用するには、建造物などへ、取付板１１、１１ａ、１２、１２ａを固定した後、溝４、４ａから係止パイプ３、３ａの内部に挿入して係止する。
【００２０】
メディアシート１の両端に環状巻付部１ａ、１ａを形成して、該部へ係止板２を挿入し（図３（ｂ））、これを矢示２１のように係止パイプ３、３ａ内に入れて矢示２０のように回転して係止する。
【００２１】
次に係止パイプ３の摘み１５を持って矢示２２の方向へ回転すると（図３（ｃ）、（ｄ））、メディアシート１を係止パイプ３に巻き込むことにより、メディアシート１を緊張することができる。また係止パイプ３ａを矢示２３の方向へ巻き込んでも同様である。
【００２２】
この場合にラチェットギヤー９に係止爪１４を係止すれば、ラチェットギヤー９（従って係止パイプ３）は逆転できないので、前記メディアシート１の緊張状態を保つことができる。
【００２３】
前記実施例においては、メディアシートの両端に環状部１ａを形成して係止板２と係止したが、係止パイプ３、３ａと、メディアシートの両端との係止は前記構造に限定されるものではない。
【００２４】
図４は他の実施例であって、係止パイプ２５の外側に押え片２６を片持状に固定し、押え片２６の自由端２６ａに止バンド２７を嵌着固定したものである。
【００２５】
前記係止パイプ２５と、押え片２６との間へメディアシート１の端部を挟み、止バンド２７を嵌装すれば、係止パイプ２５へメディアシート１の端縁を固定することができる。そこで、前記と同様に係止パイプ２５を回転すれば、メディアシートを張設することができる。図中２８はラチェットギヤー、２９は摘み、３０は芯軸、３１は引張スプリングである。
【００２６】
前記引張スプリング３１は、取付板１２のピン３２と、係止爪１４の基端側に設けた取付孔１４ｂとの間に取付けてあって、係止爪１４を矢示３３の方向へ常時回動させ、ラチェットギヤー９の歯と、係止爪１４の係止端１４ａとを緊密に係止させている。
【実施例２】
【００２７】
この発明の他の実施例を図５について説明する（この実施例は、実施例１と取付構造が異なる）。
【００２８】
この発明の実施例を図５について説明すると、一側に溝４、４ａを有する二本の係止パイプ３、３ａに、夫々支板６、６ａ、支枠７、７ａを介して固定板３４、３４ａを平行に固定して、この発明の引張装置１０ａを完成した。前記固定板３４、３４ａを建造物の垂直壁などへねじ３５、３５で固定する。図中３６はねじ孔である。
【００２９】
前記において、摘み１５、１５ａと、摘み軸８、８ａの固着（止ねじ３７による）、メディアシート１と係止パイプの固定などは総て実施例１と同一に付、詳細な説明は省略した。
【図面の簡単な説明】
【００３０】
【図１】（ａ）この発明の実施例の斜視図、（ｂ）係止パイプへの支板の取付け状態を説明する斜視図、（ｃ）取付板の他の形態を説明する斜視図。
【図２】（ａ）同じく一部を省略した一部断面拡大図、（ｂ）同じく一部拡大断面図。
【図３】同じくメディアシートを張設する説明図であって、（ａ）同じく係止パイプへメディアシート付係止板を挿入する図、（ｂ）同じく係止板を挿入した図、（ｃ）同じく一方の係止パイプを回転開始する図、（ｄ）同じくメディアシートの張設を完了した図。
【図４】（ａ）同じく係止パイプの他の実施例の斜視図、（ｂ）同じく一部拡大断面図。
【図５】同じく他の実施例の斜視図。
【符号の説明】
【００３１】
１  メディアシート
２  係止板
３、３ａ  係止パイプ  
４、４ａ  溝
５  固定パイプ
６、６ａ、７、７ａ  支板  
８  摘み軸
９  ラチェットギヤー
１０  張設装置
１４  係止爪
１５  摘み
【図１】
2006030675.tif 000003
【図２】
2006030675.tif 000004
【図３】
2006030675.tif 000005
【図４】
2006030675.tif 000006
【図５】
2006030675.tif 000007